(57)【特許請求の範囲】
【請求項１】
背骨線を中心に左右対称な後身頃、および、該後身頃の左右袖付け部でそれぞれ接合された左後袖及び右後袖からなる仏衣背面部と、
前記左後袖及び前記右後袖の各腕部でそれぞれ接合された左前袖及び右前袖と、
前記後身頃の左肩部で接合され、少なくとも袖下部乃至裾下部において固定部を有する左前身頃の半片と、
前記後身頃の右肩部で接合され、少なくとも袖下部乃至裾下部において固定部を有する右前身頃と、
を備え、
前記左前袖が前記左前身頃の半片の袖付け部で、前記右前袖が前記右前身頃の袖付け部で各々接合され、
一体形成された前記仏衣背面部、前記左前袖及び前記右前袖、前記左前身頃の半片、および前記右前身頃がそれぞれ上記接合部分において一体に形成され、該左前身頃の半片と該右前身頃との間が裁断されてなる仏衣。
【請求項２】
左前身頃が、前記左前身頃の半片と左前身頃の補充片とが接合されて形成される請求項１に記載の仏衣。
【請求項３】
前記固定部は、前記後身頃の裏側で該後身頃と接合される請求項１または２に記載の仏衣。
【請求項４】
前記固定部は５ｃｍ以上である請求項１乃至３のいずれか１項に記載の仏衣。
【請求項５】
前記左右前袖は前記左右後袖の腕部を中心にそれぞれ折り返され、該左右前袖の袖下部と該左右後袖の袖下部とが接合される請求項１乃至４のいずれか１項に記載の仏衣。
【発明の詳細な説明】
【技術分野】
【０００１】
本発明は、遺体に損傷を与えることなく、簡単に着用させることが出来る仏衣およびその着用方法に関する。
【背景技術】
【０００２】
仏衣は故人に着せる衣装であり、白い経帷子を右前に合わせて着せるのが一般的である。経帷子を着せ、頭には三角の白頭巾を被せ、脚と手にはそれぞれ脚絆と手甲を着け、足には白足袋に草履を履かせ、三途の川の渡し賃といわれる六文銭を入れた頭陀袋を首からかけるのが従来の死装束とされ、両手は胸の上で合掌させて数珠をもたせるのが通常である。
【０００３】
しかし、自宅や病院等で亡くなり胸の上で合掌された遺体は、死後２〜３時間経つと、関節と関節の筋肉が収縮硬化して動かなくなる所謂死後硬直が始まり、合掌した遺体にそのまま袖を通して仏衣を着せるのは非常に困難である。このため、遺族・親族・友人たちが見えないところで、遺体の骨を折るなどして遺体に仏衣を着せることもしばしば行われる。
【０００４】
このように遺体を損傷させることは遺族等にとって忍び難く、また、故人に対して不敬にあたるとも考え得る。そのため、合掌した姿勢を保持しつつ遺体に仏衣を着せるための種々の考案がなされている。
【０００５】
特許文献１には、死者の腕をＶ字状に折曲した際に、少なくとも肘が抜けて着用し得る長さに振りと身八ツ口とが開口されている仏衣用長着が開示されている。特許文献１によれば、死者に上記仏衣用長着を着用させる際に、上記折曲した腕の肘は、その振りと身八ツ口の開口部分に支えることなく円滑に袖部を通過して、遺体に上記仏衣用長着を着用させることが出来る。
【０００６】
しかし、上記仏衣用長着を着用させるためには、まず胸の面前において組まれた手を外すと共に、その離反された手をその状態のまま衿部乃至袖部の袖口へ順次通す必要がある。したがって、特許文献１に開示される仏衣用長着では、遺体を損傷させずに仏衣を着せるという課題の解決には至らない。特許文献２に記載の経帷子も略同趣旨である。
【０００７】
また、特許文献３には、前身頃上部と袖前部が一体となった左右布片の、前身頃から袖の肩部分、前身頃上部の下端襟側から脇部、袖の袂部などに切り目を設けた仏衣が開示されている。後身頃および袖後部に遺体を載せて前身頃下部を遺体上に重ね、袖前部を腕に沿わせながら上記左右布片を袖後部と前身頃下部にファスナー等の掛留具で切り目を接合させることにより、遺体の腕に袖を通すことなく合掌状態で遺体に仏衣を着付けることができる。
【０００８】
しかし特許文献３の仏衣では、左右の前身頃の下部を折り返したときに両者間に重なり部分を取らないため、慣習的に行われている身頃を右前に合わせる着付けが出来ない。また、特許文献３に添付された図面より明らかなように、遺体の正面に露出する掛止具が多いため、見た目の素朴さや簡素さに欠けるきらいが有る。
【０００９】
【特許文献１】実用新案登録３００２６５２
【特許文献２】特開２０００−１５４４０３号公報
【特許文献３】特開昭６２−１４８５０６号公報
【発明の開示】
【発明が解決しようとする課題】
【００１０】
そこで本発明は、遺体の腕に袖を通すことなく合掌状態で簡易に遺体に着付けることができ、伝統的な外観を損なうことのない仏衣を提供することを目的とする。
【課題を解決するための手段】
【００１１】
上記課題に鑑み、本発明に係る仏衣は、背骨線を中心に左右対称な後身頃、および、該後身頃の左右袖付け部でそれぞれ接合された左後袖及び右後袖からなる仏衣背面部と、前記左後袖及び前記右後袖の各腕部でそれぞれ接合された左前袖及び右前袖と、前記後身頃の左肩部で接合され、少なくとも袖下部乃至裾下部において固定部を有する左前身頃と、前記後身頃の右肩部で接合され、少なくとも袖下部乃至裾下部において固定部を有する右前身頃と、を有し、前記左前身頃及び前記右前身頃が前記後身頃の左肩部及び右肩部を中心にそれぞれ前方へ折り返された状態で、該左前身頃および該右前身頃は、前記背骨線上で重なり部分を有する構成とした。
【００１２】
なお、本明細書において「接合」とは、縫合やピン止め、あるいは、ファスナーや両面テープ、マジックテープ（登録商標）、接着剤等を用いた接合など、あらゆる公知の接合を含み、かつ、被接合体同士が接合部で一体に形成される場合をも含むものとする。また、左右前後上下は、仏衣の被着用者である故人から見て、右側を「右」、左側を「左」と、正面側を「前」、背後側を「後」と、頭側を「上」、足側を「下」とする。さらに「腕部」及び「袖下部」とは左右前後の袖の上端及び下端を、「裾下部」とは前後身頃の下端を、それぞれ指すものとする。
【００１３】
上記仏衣は、左右前袖が左右後袖の各腕部でそれぞれ接合あるいは一体形成されており、左右前袖の袖下部と左右後袖の袖下部は開放されている。従って、まず左右前身頃を前記仏衣背面部の左右肩部を中心にそれぞれ折り返して合掌した遺体の腕の下に通し、続けて左右後袖を合掌した遺体の左右腕に沿わせつつ各左右の袖下部を上記合掌した遺体の腕の下に通し、その後該左右後袖の各腕部で折り返した左右前袖の袖下部とそれぞれ接合することができる。なお、前記左右前袖は、前記左右前身頃の袖付け部でそれぞれ接合されてもよい。
【００１４】
また、上記仏衣の左右前身頃の固定部は、左右後身頃の幅に比べて、背骨線に直角方向に広い“余り”の部分であり、後身頃の裏側でこの後身頃と接合することが出来る。固定部は５ｃｍ以上であるのが好ましい。
【００１５】
また、本発明に係る仏衣は、前記左前身頃及び前記左前袖が一体に形成され、一体形成された前記仏衣背面部、前記右前身頃及び前記右前袖、および前記左後袖の、前記左肩部及び左腕部で接合されてもよい。あるいは、前記左前身頃が、一体形成された前記仏衣背面部、前記右後袖及び右前袖、および、前記左後袖及び左前袖の、前記左肩部で接合されてもよい。
【００１６】
本発明の仏衣は、上記構成としても、左右前身頃及び左右後袖下部を合掌した遺体の腕の下に通し、その後左右前袖の袖下部とそれぞれ接合することができ、また、上記仏衣の左右前身頃の固定部を後身頃の裏側でこの後身頃と接合することが出来る。
【００１７】
本発明に係る仏衣の着用方法は、合掌した遺体の背骨を前記仏衣背面部の背骨線上に合わせて該合掌した遺体を該仏衣背面部上に静置するステップと、前記左前身頃及び前記右前身頃を、前記仏衣背面部の左右肩部を中心にそれぞれ折り返して前記合掌した遺体の腕の下に通すステップと、前記左後袖及び前記右後袖を前記合掌した遺体の左右の腕にそれぞれ沿わせつつ、各前記左後袖及び前記右後袖の各袖下部を該合掌した遺体の左右の腕の下にそれぞれ通すステップと、前記左後袖及び前記右後袖の各腕部でそれぞれ折り返した前記左前袖及び前記右前袖の左右袖下部を、前記左後袖及び前記右後袖の左右袖下部とそれぞれ接合するステップと、前記合掌した遺体の腕下を通した左前身頃及び右前身頃の各固定部を、それぞれ前記後身頃の裏側に差し込み、該後身頃と接合するステップと、を含む。
【発明の効果】
【００１８】
本発明に係る仏衣は、上記構成としたので、遺体の合掌状態でその腕下に左右前身頃及び左右後袖下部を通し、その後、左右後袖下部と左右前袖下部とをそれぞれ接合することができる。このため本発明の仏衣は、合掌状態の遺体の腕に袖を通すことなく、遺体に損傷を与えないで簡易に遺体に着付けることができる。
【００１９】
また、本発明の仏衣は、左右前身頃をそれぞれ分断することなく一体とし、仏衣背面部の左右肩部で折り返して遺体の合掌状態でその腕下に通すことが出来、それぞれの固定部を後身頃の裏側でこの後身頃と接合することが出来る。さらに、少なくとも右前身頃を幅広とすることにより背骨線上で左前身頃と右前身頃とが重なりを持ち、仏衣を遺体の右前に合わせて着用させることが出来るので、本発明は伝統的な外観を損なうことがなく着用が容易な仏衣を提供することができる。
【００２０】
さらに、本発明の仏衣は、左後身頃及び右後身頃、左前身頃及び右前身頃、右後袖及び右前袖、左後袖及び左前袖等のパーツは、それぞれ適切な位置で、種々の組み合わせで互いに接合したり反物から一体に切り出すことが出来る。従って、反物の幅・長さに応じたパーツの切り出しが可能であり、好みに応じた接合個所、接合方法を選択することが出来る。
【発明を実施するための最良の形態】
【００２１】
以下、図面を参照しながら本発明に係る仏衣の実施形態について説明する。なお、以下各図面を通して同一の構成要素には同一の符号を使用するものとする。
【００２２】
図１において、本発明に係る仏衣１は、背骨線１００を中心に左右対称な後身頃１２（１２Ｌ、１２Ｒ）、および、後身頃１２の左右袖付け部２０でそれぞれ接合された左後袖１４Ｌ及び右後袖１４Ｒからなる仏衣背面部１０と、左後袖１４Ｌ及び右後袖１４Ｒの各腕部１７Ｌ、１７Ｒでそれぞれ接合され、少なくとも袖下部乃至裾下部において固定部を有する左前袖１１４Ｌ及び右前袖１１４Ｒと、後身頃１２（仏衣背面部１０）の左肩部１６Ｌで接合された左前身頃１１２Ｌと、後身頃１２（仏衣背面部１０）の右肩部１６Ｒで接合された右前身頃１１２Ｒと、を有する。
【００２３】
仏衣１は、左前身頃１１２Ｌ及び右前身頃１１２Ｒが後身頃１２の左肩部１６Ｌおよび右肩部１６Ｒを中心にそれぞれ遺体の前方へ折り返された状態で、左前身頃１１２Ｌと右前身頃１１２Ｒとが背骨線１００上で重なり部分を有する構成とした。このため、仏衣１を遺体の右前に合わせて着用させることが可能である。
【００２４】
また、上記状態で、後袖１４（１４Ｌ、１４Ｒ）の少なくとも袖下部１８（１８Ｌ、１８Ｒ）乃至該後身頃１２（仏衣背面部１０）の裾下部２８（２８Ｌ、２８Ｒ）において、前身頃１１２Ｌ、１１２Ｒの背骨線１００に直角方向の幅が、後身頃１２Ｌ、１２Ｒの背骨線１００に直角方向の幅を超過する固定部１５０を有する構成とした。固定部１５０は、後袖１４の袖付け部止まり２２から袖下部１８に至る振り２６の間の部分から、あるいは、後身頃１２の袖付け部止まり２２の下部に設けた身八ツ口２４の下端から、裾下部２８に至る部分に設けられてもよい。
【００２５】
この仏衣１の左右前身頃１１２Ｌ、１１２Ｒの固定部１５０は、左右後身頃１２Ｌ、１２Ｒの幅に比べて、背骨線１００に直角方向に広い“余り”の部分である。このため、左前身頃１１２Ｌおよび右前身頃１１２Ｒをそれぞれ後身頃１２の左肩部１６Ｌおよび右肩部１６Ｒを中心軸にして折り返し、それぞれの固定部１５０を後身頃１２Ｌ、１２Ｒの裏側に差し込み、この裏側で後身頃１２と接合することが出来る。固定部は５ｃｍ以上であるのが好ましい。
【００２６】
なお、上記のように、本明細書において「接合」とは、縫合やピン止め、あるいは、ファスナーや両面テープ、マジックテープ（登録商標）、接着剤等を用いた接合など、あらゆる公知の接合を含み、かつ、被接合体同士が接合部で一体に形成される場合をも含むものとする。また、左右前後上下は、仏衣の被着用者である故人から見て、右側を「右」、左側を「左」と、正面側を「前」、背後側を「後」と、頭側を「上」、足側を「下」とする。さらに「腕部」及び「袖下部」とは左右前後の袖１４、１１４の上端及び下端を、「裾下部」とは前後身頃１２、１１２の下端を、それぞれ指すものとする。
【００２７】
上記構成の仏衣１は、左右前袖１１４Ｌ、１１４Ｒの各腕部１１７Ｌ、１１７Ｒが左右後袖１４Ｌ、１４Ｒの各腕部１７Ｌ、１７Ｒでそれぞれ接合（あるいは一体形成）されており、左右前袖１１４Ｌ、１１４Ｒの袖下部１１８Ｌ、１１８Ｒと左右後袖１４Ｌ、１４Ｒの袖下部１８Ｌ、１８Ｒは開放されている。従って、まず左右前身頃１１２Ｌ、１１２Ｒを仏衣背面部１０の左右肩部１６Ｌ、１６Ｒを中心にそれぞれ前方に折り返して合掌した遺体の腕の下に通し、続けて左右後袖１４Ｌ、１４Ｒを合掌した遺体の左右腕に沿わせつつ各左右の袖下部１８Ｌ、１８Ｒの各一部を上記合掌した遺体の腕の下に通して両腕の外側半分を被うようにし、その後左右後袖１４Ｌ、１４Ｒの各腕部１７Ｌ、１７Ｒで折り返した左右前袖１１４Ｌ、１１４Ｒの袖下部１１８Ｌ、１１８Ｒとそれぞれ接合することができる。この袖下部１８Ｌ、１８Ｒと袖下部１１８Ｌ、１１８Ｒの接合は、仏衣１を遺体に着用する際の接合であるので、両面テープ、マジックテープ（登録商標）、接着剤等を用いた簡易な接合が望ましい。
【００２８】
なお、各腕部１７Ｌ、１７Ｒで折り返した左右前袖１１４Ｌ、１１４Ｒは、左右肩部１６Ｌ、１６Ｒで折り返した左右前身頃１１２Ｌ、１１２Ｒの袖付け部（図示せず）で、それぞれ接合されてもよい。
【００２９】
上記仏衣１は絹やナイロンなどで形成されるのが好ましいが、これらに限定されず、木綿その他の布地、あるいは和紙等で形成されてもよい。上記布地等の反物を故人の身体寸法に合わせて切り抜き、仏衣背面部１０、左右前袖１１４Ｌ、１１４Ｒおよび左右前身頃１１２Ｌ、１１２Ｒを形成する。左右前袖１１４Ｌ、１１４Ｒの左右腕部１１７Ｌ、１１７Ｒを仏衣背面部１０の左右後袖１４Ｌ、１４Ｒの左右腕部１７Ｌ、１７Ｒに接合し、また、左右前身頃１１２Ｌ、１１２Ｒの左右肩部１１６Ｌ、１１６Ｒを仏衣背面部１０の左右肩部１６Ｌ、１６Ｒに接合して、仏衣１を形成する。
【００３０】
左右前袖１１４Ｌ、１１４Ｒと左右後袖１４Ｌ、１４Ｒとの各接合は、反物から一体に切り抜く一体形成が好ましく、左右前身頃１１２Ｌ、１１２Ｒと仏衣背面部１０との接合は、布地と同色の糸による縫合が好ましい。左右前袖１１４Ｌ、１１４Ｒと、左右前身頃１１２Ｌ、１１２Ｒの袖付け部との接合も、縫合するのが好適である。
【００３１】
また、後身頃１２（仏衣背面部１０）の左肩部１６Ｌおよび右肩部１６Ｒで折り返し、合掌した遺体の腕下を通した左前身頃１１２Ｌおよび右前身頃１１２Ｒは、それぞれの固定部１５０を後身頃１２Ｌ、１２Ｒの裏側に差し込み、後身頃１２と両面テープやマジックテープ（登録商標）などで接合するのが簡易で好ましい。
【００３２】
このような仏衣１は、以下のようにして遺体に着用させることが出来る。
【００３３】
すなわち、本発明に係る仏衣１の着用方法は、合掌した遺体の背骨を仏衣背面部１０の背骨線１００上に合わせて、上記合掌した遺体を仏衣背面部１０上に静置するステップと、左右前身頃１１２Ｌ、１１２Ｒを仏衣背面部１０の左右肩部１６Ｌ、１６Ｒを中心にそれぞれ折り返して上記合掌した遺体の腕の下に通すステップと、続けて左右後袖１４Ｌ、１４Ｒを合掌した遺体の左右腕に沿わせつつ各左右の袖下部１８Ｌ、１８Ｒを上記合掌した遺体の左右の腕の下にそれぞれ通すステップと、その後左右後袖１４Ｌ、１４Ｒの各腕部１７Ｌ（１１７Ｌ）、１７Ｒ（１１７Ｒ）でそれぞれ折り返した左右前袖１１４Ｌ、１１４Ｒの袖下部１１８Ｌ、１１８Ｒを、左後袖１４Ｌ及び右後袖１４Ｒの左右袖下部１８Ｌ、１８Ｒとそれぞれ接合するステップと、上記合掌した遺体の腕下を通した左前身頃１１２Ｌ及び右前身頃１１２Ｒの各固定部１５０を、それぞれ左右後身頃１２Ｌ、１２Ｒの裏側に差し込み、左右後身頃１２Ｌ、１２Ｒと接合するステップと、を含む。最後に遺体の胴体部分を、予め用意した仏衣１と同素材の帯で帯締めするか、または短い帯の両端を遺体の後部に差し込むのが外観上望ましい。
【００３４】
従って本発明の仏衣１の着用方法を用いれば、左右前身頃１１２Ｌ、１１２Ｒ及び左右後袖１４Ｌ、１４Ｒを、遺体の腕を合掌したままにしてそれぞれ当該両腕の下に通す場合、あるいは、左前身頃１１２Ｌ及び右前身頃１１２Ｒの各固定部１５０を、それぞれ左右後身頃１２Ｌ、１２Ｒの裏側に差し込む場合は、合掌した遺体の腕あるいは脚をわずかに浮かせる必要があるものの、それらの場合以外は遺体の各部分を動かすことなく、遺体に損傷を与えずに仏衣１を着用させることが出来る。
【００３５】
次に、図２を用いて、本発明に係る仏衣の別の実施形態について説明する。
【００３６】
本発明に係る仏衣２は、仏衣背面部１０と、左前袖１１４Ｌが袖付け部１２０で接合された左前身頃１１２Ｌと、右前袖１１４Ｒが袖付け部１２０で接合された右前身頃１１２Ｒと、を有する。
【００３７】
左前身頃１１２Ｌと左前袖１１４Ｌ、および、右前身頃１１２Ｒと右前袖１１４Ｒは、それぞれ一体形成されるのが望ましい。また、左前身頃１１２Ｌ及び右前身頃１１２Ｒが仏衣背面部１０の左右肩部１６Ｌ、１６Ｒで、左前袖１１４Ｌ及び右前袖１１４Ｒが左後袖及び右後袖の各腕部１７Ｌ、１７Ｒで、それぞれ縫合されるのが好ましい。
【００３８】
本実施形態の仏衣２は、上記仏衣１と同様の材料を使用して、同様の方法で形成することができ、上記仏衣１と同様の着用方法を用いて合掌した遺体に着用させることが出来る。また、仏衣２は、上記仏衣１と同様の作用効果を奏することができ、伝統的な外観を保持しつつ遺体に損傷を与えないで簡易に遺体に着付けることができる。
【００３９】
次に、図３を用いて、本発明に係る仏衣の更に別の実施形態について説明する。
【００４０】
本実施形態の仏衣３は、一体形成された左前身頃の半片１１２Ｌa及び左前袖１１４Ｌが、一体形成された仏衣背面部１０、右後袖１４Ｒ及び右前袖１１４Ｒ、および左後袖１４Ｌの、左肩部１６Ｌ（及び右肩部１６Ｒの一部）及び左腕部１７Ｌで接合される。あるいは、左前身頃の半片１１２Ｌaが、一体形成された仏衣背面部１０、右後袖１４Ｒ及び右前袖１１４Ｒ、および、左後袖１４Ｌ及び左前袖１１４Ｌの、左肩部１６Ｌ（及び右肩部１６Ｒの一部）で接合されてもよい（図示せず）。または、仏衣背面部１０、右後袖１４Ｒ及び右前袖１１４Ｒ、左後袖１４Ｌ及び左前袖１１４Ｌ、および、左前身頃の半片１１２Ｌa及び右前身頃１１２Ｒを一体に形成し、図３のように左前身頃の半片１１２Ｌaと右前身頃１１２Ｒとの間を裁断してもよい。
【００４１】
仏衣３の左前身頃の半片１１２Ｌaには、図３のように、反物から別に切り抜いた左前身頃の補充片１１２Ｌbを縫い付ける等して、左肩部１６Ｌ（及び右肩部１６Ｒの一部）で左前身頃の半片１１２Ｌaを接合する前に、両者を接合しておくのが好ましい。右前に合わせて、右前身頃１１２Ｒを左前身頃の半片１１２Ｌa及び左前身頃の補充片１１２Ｌbの上に重ねる際、遺体の肌がはだけるのを防ぐことが出来る。
【００４２】
上記構成の仏衣３も、上記仏衣１、２と同様の材料を使用して、同様の方法で形成することができ、上記仏衣１、２と同様の着用方法を用いて遺体に着用させることが出来る。また、仏衣３も、上記仏衣１と同様、左右前身頃１１２Ｌ（左前身頃の半片１１２Ｌa及び左前身頃の補充片１１２Ｌb）と１１２Ｒ、および、左右後袖下部１４Ｌと１４Ｒを合掌した遺体の腕の下に通し、その後左右前袖の袖下部１１４Ｌ、１１４Ｒと左右後袖下部１４Ｌ、１４Ｒとをそれぞれ接合することができ、また、仏衣３の左右前身頃の固定部１５０を後身頃１２の裏側でこれと接合することが出来る。したがって、伝統的な外観を保持しつつ遺体に損傷を与えないで簡易に遺体に着付けることができる。
【００４３】
ご遺体に本発明に係る仏衣を着付けた後は、例えば男性には蓮の花淡空色で葉は銀色の、女性には蓮の花淡ピンク色で葉は銀色の帯を締め、頭には三角布を、手には手甲を、脚には脚絆をつけ、足には小鉤を外して足袋をはかせ、さらに草鞋をはかせて身なりを整える。手には数珠をもたせ、頭陀袋を首からかけ、さらに、故人の親族や友人等のお別れのご挨拶文とペンを入れた袋などをご遺体の両脇に添えて故人をお見送りする。
【００４４】
以上、本発明に係る仏衣について説明したが、本発明の仏衣は上記実施形態に限定されるものではない。左後身頃及び右後身頃、左前身頃及び右前身頃、右後袖及び右前袖、左後袖及び左前袖等の各パーツを、それぞれ適切な位置で、種々の組み合わせで互いに接合することが出来る。上記のように、接合には、反物から一体にして切り抜くことを含む。
【００４５】
また、上記のように、布地（反物）の素材は特に限定されず、色も白が好ましいものの特に限定されない。
【００４６】
さらに、ご遺体の腐臭を防ぐため、ご遺体と後身頃及び／又は前身頃の間に炭シートなどの防臭剤を挟むのが好ましい。
【００４７】
その他、本発明は、その主旨を逸脱しない範囲で当業者の知識に基づき種々の改良、修正、変更を加えた態様で実施できるものである。
【産業上の利用可能性】
【００４８】
本発明に係る仏衣は、腕を組んだ遺体や人形等に着用させる衣服一般に利用することが出来る。
【図面の簡単な説明】
【００４９】
【図１】本発明に係る仏衣の実施形態を表す展開図である。
【図２】本発明に係る仏衣の別の実施形態を表す展開図である。
【図３】本発明に係る仏衣の更に別の実施形態を表す展開図である。
【符号の説明】
【００５０】
１：仏衣
１０：仏衣背面部
１２：後身頃
１２Ｒ：右後身頃
１２Ｌ：左後身頃
１４：後袖
１４Ｒ：右後袖
１４Ｌ：左後袖
１６、１１６：肩部
１６Ｒ、１１６Ｒ：右肩部
１６Ｌ、１１６Ｌ：左肩部
１７、１１７：肩部
１７Ｒ、１１７Ｒ：右腕部
１７Ｌ、１１７Ｌ：左腕部
１８、１１８：袖下部
１８Ｒ、１１８Ｒ：右袖下部
１８Ｌ、１１８Ｌ：左袖下部
２０、１２０：袖付け部
２２：（袖付け部）止まり
２４：身八ツ口
２６：振り
２８、１２８：裾下部
２８Ｒ、２１８Ｒ：右裾下部
２８Ｌ、２１８Ｌ：左裾下部
１００：背骨線
１１２：前身頃
１１２Ｒ：右前身頃
１１２Ｌ：左前身頃
１１２Ｌa：左前身頃の半片
１１２Ｌb：左前身頃の補充片
１１４：前袖
１１４Ｒ：右前袖
１１４Ｌ：左前袖
１１６、１１７：肩部
１１６Ｒ、１１７Ｒ：右肩部
１１６Ｌ、１１７Ｌ：左肩部
１３０：首部
１５０：固定部
【図１】
0005042724.tif 000002
【図２】
0005042724.tif 000003
【図３】
0005042724.tif 000004